(57)【要約】【課題】輸送時における内容物の移動を確実に阻止でき、内容物の傷みを防止できる収納容器を提供する。【解決手段】底壁１の周囲に各一対の側壁２及び端壁３を立設して本体２１を形成し、その内部を区画して複数のパックを収納する収納容器において、内容物を嵌め込む開口部１５を備えた上枠板１３に脚板１４を連設して枠体２２を形成し、底壁１から切り起こした仕切板９と、上枠板１３から下方へ折り曲げた脚板１４とを切溝１０，１６の相互差込により係合させ、本体２１に枠体２２をセットする。枠体２２が保形され、仕切板９が起立状態に保持されて、区画の形状が安定し、内容物であるパックＰが上枠板１３により宙吊り状態で支持され、底壁１とパックＰの隙間により輸送中の衝撃が緩和される。【選択図】  図４
2004345668.tif 000002
【特許請求の範囲】
【請求項１】
底壁１の周囲に各一対の側壁２及び端壁３を立設して本体２１を形成し、その内部を区画して複数の内容物を収納する収納容器において、内容物を嵌め込む開口部１５を備えた上枠板１３に脚板１４を連設して枠体２２を形成し、底壁１から切り起こした仕切板９と、上枠板１３から下方へ折り曲げた脚板１４とを切溝１０，１６の相互差込により係合させ、本体２１に枠体２２をセットしたことを特徴とする収納容器。
【発明の詳細な説明】
【０００１】
【発明の属する技術分野】
この発明は、果物を詰めたパックの運搬等に使用する収納容器に関する。
【０００２】
【従来の技術】
例えば、いちごのパックを運搬する際には、図７に示すように、トレー状の本体５１の内部に、仕切板５２，５３を切溝で十字状に噛み合わせてセットし、形成された各区画にパックＰを収納する段ボール製の容器を使用する。
【０００３】
この本体５１は、底壁５４の周囲に連設した側壁５５，５６のうち、一対の側壁５５から延びる折込片５７を、二重構造とされた他対の側壁５６で抱き込むことにより保形されるものである。
【０００４】
【発明が解決しようとする課題】
しかしながら、上記のような収納容器では、仕切板５２，５３が安定せず、パックＰの水平移動を十分に阻止できないという問題がある。
【０００５】
また、輸送時の衝撃が本体５１の底壁５４から緩和されることなくパックＰに作用し、いちごが傷みやすいという問題もある。
【０００６】
そこで、この発明は、輸送時における内容物の移動を確実に阻止でき、内容物の傷みを防止できる収納容器を提供することを課題とする。
【０００７】
【課題を解決するための手段】
上記課題を解決するため、この発明は、底壁の周囲に各一対の側壁及び端壁を立設して本体を形成し、その内部を区画して複数の内容物を収納する収納容器において、内容物を嵌め込む開口部を備えた上枠板に脚板を連設して枠体をなし、底壁から切り起こした仕切板と、上枠板から下方へ折り曲げた脚板とを切溝の相互差込により係合させ、本体に枠体をセットしたのである。
【０００８】
この収納容器では、枠体と仕切板とで区画が形成され、仕切板と脚板との係合により、枠体が保形されると共に、仕切板が起立状態に保持されて、区画の形状が安定するので、各区画に収納した内容物の移動を確実に阻止できる。
【０００９】
また、内容物であるパックのフランジを枠体の上枠板に載せると、パックを宙吊り状態で支持することができるので、底壁とパックの間に生じた隙間により輸送中の衝撃が緩和され、パックに詰めた果物の傷みが防止される。
【００１０】
【発明の実施の形態】
以下、この発明の実施の形態を添付図面に基づいて説明する。
【００１１】
この収納容器は、ぶどうを詰めたパックの運搬に使用され、図１にブランク状態で示すように、段ボールを材料とする本体２１と枠体２２とから構成される。
【００１２】
本体２１のブランクでは、底壁１の周囲に各一対の側壁２及び端壁３が連設され、側壁２の両側縁には折込片４が連設されている。端壁３の端縁には桟板５が連設され、その両端には抱込板６が設けられている。また、抱込板６の先端には差込片７が、側壁２の底壁１との境界部には切込８がそれぞれ設けられている。
【００１３】
底壁１には、幅方向中央部を長手方向に切り込んで仕切板９が形成され、この仕切板９の端縁には４箇所に切溝１０が設けられている。また、側壁２の端縁には突片１１が設けられ、底壁１の側壁２との境界部には、側壁２を切り込んで張出片１２が設けられている。
【００１４】
一方、枠体２２のブランクでは、上枠板１３の両側に脚板１４が連設され、上枠板１３の内部には、パックを嵌め込む２個の開口部１５が切目を入れて形成されている。脚板１４の端縁中央部には切溝１６が設けられ、開口部１５の両側縁には添当片１７が連設されている。
【００１５】
上記ブランクから収納容器を組み立てるには、図２に示すように、本体２１において、底壁１から側壁２を起立させ、折込片４を内側へ折り曲げ、図３に示すように、端壁３を起立させ、桟板５を内側へ折り曲げて、抱込板６を側壁２の外側に沿って下方へ折り曲げ、差込片７を切込８に差し込む。
【００１６】
そして、３個用意した枠体２２において、上枠板１３から脚板１４及び添当片１７を下方へ折り曲げ、本体２１の底壁１から起立させた仕切板９と、枠体２２の両側又は片側の脚板１４とを、切溝１０，１６の相互差込により係合させる。
【００１７】
このようにして、本体２１に枠体２２をセットすると、図４及び図５に示すように、上枠板１３の開口部１５及び隣り合う枠体２２の間に、ぶどうを詰めたパックＰを収納できる複数の区画が形成される。
【００１８】
上記のような収納容器では、仕切板９と脚板１４との係合により、枠体２２が保形されると共に、仕切板９が起立状態に保持されて、区画の形状が安定するので、各区画に収納したパックＰの移動を確実に阻止できる。
【００１９】
また、パックＰのフランジを上枠板１３に載せると、パックＰを宙吊り状態で支持できるので、底壁１とパックＰの間に生じた隙間により輸送中の衝撃が緩和され、パックＰに詰めたぶどうの傷みが防止される。
【００２０】
なお、この収納容器では、本体２１の側壁２が上方へかけてやや外側へ傾いているので、図６に示すように、複数段積み上げたとき、上段側の本体２１が下段側の突片１１の内側に嵌まり込み、下段側の突片１１と上段側の張出片１２とが係合して、積みずれによる荷崩れが防止される。
【００２１】
ところで、この実施形態では、本体２１として、トレー状のものを示したが、本体２１は、蓋フラップを有する箱体であってもよい。また、枠体２２やその開口部１５の個数は、特に限定されるものではない。そのほか、枠体２２の添当片１７は省略してもよく、脚板１４は片側であってもよい。
【００２２】
また、この収納容器には、内容物として、果物を詰めたパックだけでなく、電気製品のような種々の物品を収納することができる。その場合にも、物品は確実に保持され、破損が防止される。
【００２３】
【発明の効果】
以上のように、この発明に係る収納容器では、本体の底壁から切り起こした仕切板と、枠体の上枠板から下方へ折り曲げた脚板とを係合させて区画を形成したので、枠体が保形されると共に、仕切板が起立状態に保持されて、区画の形状が安定し、各区画に収納した内容物の移動を確実に阻止できる。
【００２４】
また、内容物であるパックのフランジを枠体の上枠板に載せると、パックを宙吊り状態で支持することができるので、底壁とパックの間に生じた隙間により輸送中の衝撃が緩和され、パックに詰めた果物の傷みを防止することができる。
【図面の簡単な説明】
【図１】この発明の実施形態に係る収納容器のブランクを示す図
【図２】同上の本体の組立過程を示す図
【図３】同上の本体への枠体のセット過程を示す分解斜視図
【図４】同上のパック収納状態を示す斜視図
【図５】同上の縦断正面図
【図６】同上の段積み状態を示す斜視図
【図７】従来の収納容器を示す斜視図
【符号の説明】
１  底壁
２  側壁
３  端壁
９  仕切板
１０  切溝
１３  上枠板
１４  脚板
１５  開口部
１６  切溝
２１  本体
２２  枠体
【図１】
2004345668.tif 000003
【図２】
2004345668.tif 000004
【図３】
2004345668.tif 000005
【図４】
2004345668.tif 000006
【図５】
2004345668.tif 000007
【図６】
2004345668.tif 000008
【図７】
2004345668.tif 000009